【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
周囲に複数の図柄が付されたｎ個（ｎ≧１）の回転リールと、
すべての回転リールの回転を開始させるためのスタートスイッチと、
各回転リールに対応して設けられるとともに、回転リールの回転を停止させるためのストップスイッチと、を備え、
遊技媒体のベットにより遊技の開始を可能とし、スタートスイッチの操作により回転リールの回転を開始させるとともに、複数の役のいずれかに当選かまたはハズレかの抽選を行い、該抽選の結果およびストップスイッチの操作に基づいて回転リールの回転を停止させ、当選した役に係る図柄の組み合わせが揃ったか否かの判定を行い、該判定の結果に応じて所定の利益を遊技者に付与する又は付与しないことで１回の遊技が終了する遊技機であって、
遊技を進行させることができないフリーズ状態を実行するフリーズ制御手段を備え、
フリーズ制御手段は、回転リールの態様が異なる複数のフリーズ状態を実行可能に形成され、
所定の契機により、フリーズ制御手段によるフリーズ状態を所定のフリーズ状態に切り替えるフリーズ状態切替手段を備えていることを特徴とする遊技機。
【請求項２】
フリーズ状態切替手段は、所定のスイッチの操作を契機に、フリーズ状態を切り替えるように形成されていることを特徴とする請求項１記載の遊技機。
【請求項３】
フリーズ状態における回転リールの態様として、回転リールが回転している回転状態と、回転リールが仮停止している仮停止状態とが設けられ、
フリーズ状態切替手段は、
フリーズ状態において、ストップスイッチの操作を契機に、対応する回転リールを回転状態から仮停止状態にすることによって、フリーズ状態を切り替えるように形成されていることを特徴とする請求項２記載の遊技機。
【請求項４】
周囲に複数の図柄が付されたｎ個（ｎ≧１）の回転リールと、
すべての回転リールの回転を開始させるためのスタートスイッチと、
各回転リールに対応して設けられるとともに、回転リールの回転を停止させるためのストップスイッチと、を備え、
遊技媒体のベットにより遊技の開始を可能とし、スタートスイッチの操作により回転リールの回転を開始させるとともに、複数の役のいずれかに当選かまたはハズレかの抽選を行い、該抽選の結果およびストップスイッチの操作に基づいて回転リールの回転を停止させ、当選した役に係る図柄の組み合わせが揃ったか否かの判定を行い、該判定の結果に応じて所定の利益を遊技者に付与する又は付与しないことで１回の遊技が終了する遊技機であって、
遊技を進行させることができないフリーズ状態を実行するフリーズ制御手段と、
フリーズ状態において、回転リールを所定の態様で回転又は仮停止させる回転リール演出を実行する回転リール演出制御手段と、を備え、
回転リール演出制御手段は、
回転リール演出を実行中において、所定の契機により、回転リールの態様を特定の態様に切り替えるように形成されていることを特徴とする遊技機。
【請求項５】
回転リール演出制御手段は、所定のスイッチの操作を契機に、回転リールの態様を切り替えるように形成されていることを特徴とする請求項４記載の遊技機。
【請求項６】
回転リール演出制御手段は、
回転中の回転リールに対応するストップスイッチが操作された場合に、該ストップスイッチに対応する回転リールの回転を仮停止させることによって、回転リールの態様を切り替えるように形成されていることを特徴とする請求項５記載の遊技機。
【請求項７】
フリーズ制御手段は、すべての回転リールの回転が仮停止しているフリーズ状態において、スタートスイッチの操作を契機に、フリーズ状態を終了することがあるように形成されていることを特徴とする請求項１、２、３、４、５又は６記載の遊技機。
【手続補正２】
【補正対象書類名】明細書
【補正対象項目名】０００６
【補正方法】変更
【補正の内容】
【０００６】
（請求項１）
請求項１記載の発明は、周囲に複数の図柄が付されたｎ個（ｎ≧１）の回転リール45と、すべての回転リール45の回転を開始させるためのスタートスイッチ33と、各回転リール45に対応して設けられるとともに、回転リール45の回転を停止させるためのストップスイッチ34と、を備え、遊技媒体のベットにより遊技の開始を可能とし、スタートスイッチ33の操作により回転リール45の回転を開始させるとともに、複数の役のいずれかに当選かまたはハズレかの抽選を行い、該抽選の結果およびストップスイッチ34の操作に基づいて回転リール45の回転を停止させ、当選した役に係る図柄の組み合わせが揃ったか否かの判定を行い、該判定の結果に応じて所定の利益を遊技者に付与する又は付与しないことで１回の遊技が終了する遊技機であって、遊技を進行させることができないフリーズ状態を実行するフリーズ制御手段140を備え、フリーズ制御手段140は、回転リール45の態様が異なる複数のフリーズ状態を実行可能に形成され、所定の契機により、フリーズ制御手段140によるフリーズ状態を所定のフリーズ状態に切り替えるフリーズ状態切替手段150を備えていることを特徴とする。
【手続補正３】
【補正対象書類名】明細書
【補正対象項目名】０００８
【補正方法】変更
【補正の内容】
【０００８】
本発明では、フリーズ制御手段140は、例えばスタートスイッチ33の操作を契機に、フリーズ状態を実行する場合に、例えば上記した（２）の後段の制御を行うとすれば、フリーズ制御手段140は、スタートスイッチ33の操作を契機に、回転リール45の回転が開始され、その後、ストップスイッチ34が有効にはされるが、当該ストップスイッチ34が操作された場合に、通常の遊技の進行であれば本来行われるはずの回転リール45の回転を停止させる処理を行わないようにすることで、フリーズ状態を実行することができる。
また、本発明では、フリーズ状態には、回転リール45の態様が異なる複数のフリーズ状態がある。
【手続補正４】
【補正対象書類名】明細書
【補正対象項目名】０００９
【補正方法】変更
【補正の内容】
【０００９】
また、「フリーズ状態切替手段」は、フリーズ状態を切り替えるものである。
本発明では、フリーズ制御手段140は、フリーズ状態を実行し、所定の契機により、フリーズ状態切替手段150は、フリーズ状態を切り替える。
（請求項２）
請求項２記載の発明は、上記請求項１記載の発明の特徴に加え、フリーズ状態切替手段150は、所定のスイッチの操作を契機に、フリーズ状態を切り替えるように形成されていることを特徴とする。
（請求項３）
請求項３記載の発明は、上記請求項２記載の発明の特徴に加え、フリーズ状態における回転リール45の態様として、回転リール45が回転している回転状態と、回転リール45が仮停止している仮停止状態とが設けられ、フリーズ状態切替手段150は、フリーズ状態において、ストップスイッチ34の操作を契機に、対応する回転リール45を回転状態から仮停止状態にすることによって、フリーズ状態を切り替えるように形成されていることを特徴とする。
【手続補正５】
【補正対象書類名】明細書
【補正対象項目名】００１１
【補正方法】変更
【補正の内容】
【００１１】
本発明では、フリーズ状態において、ストップスイッチ34の操作を契機に、フリーズ状態切替手段150は、対応する回転リール45を回転状態から仮停止状態にすることによって、フリーズ状態を切り替える。ここで、例えば回転リール45の回転が仮停止している状態（仮停止状態）でフリーズ状態が終了した場合には、仮停止している回転リール45の回転が所定の定常速度になるように回転させることができる。
また、例えば、フリーズ状態切替手段150は、ｍ個（ｎ≧ｍ≧１）の回転リール45が回転しているフリーズ状態において、回転中の回転リール45に対応するストップスイッチ34が操作された場合には、該ストップスイッチ34に対応する回転リール45を回転状態から仮停止状態にし、まだ回転中の回転リール45があるときには、仮停止している回転リール45を除くｍ−１個の回転リール45が回転しているフリーズ状態に切り替えるようにすることができる。
【手続補正６】
【補正対象書類名】明細書
【補正対象項目名】００１２
【補正方法】変更
【補正の内容】
【００１２】
ここで、「ｍ」は、１以上ｎ以下の正整数を意味する。例えば、ｎ＝３の場合、ｍは、「１」、「２」、又は「３」のいずれかとなる。つまり、ｎ＝３の場合、３個すべての回転リール45が回転しているフリーズ状態において、回転中の回転リール45に対応するストップスイッチ34が操作された場合には、該ストップスイッチ34に対応する回転リール45を回転状態から仮停止状態にし、２個の回転リール45が回転しているフリーズ状態に切り替えるようにすることができ、また、２個の回転リール45が回転しているフリーズ状態において、回転中の回転リール45に対応するストップスイッチ34が操作された場合には、該ストップスイッチ34に対応する回転リール45を回転状態から仮停止状態にし、１個の回転リール45が回転しているフリーズ状態に切り替えるようにすることができ、また、１個の回転リール45が回転しているフリーズ状態において、回転中の回転リール45に対応するストップスイッチ34が操作された場合には、該ストップスイッチ34に対応する回転リール45を回転状態から仮停止状態にするようにすることができる。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
（請求項４）
請求項４記載の発明は、周囲に複数の図柄が付されたｎ個（ｎ≧１）の回転リール45と、すべての回転リール45の回転を開始させるためのスタートスイッチ33と、各回転リール45に対応して設けられるとともに、回転リール45の回転を停止させるためのストップスイッチ34と、を備え、遊技媒体のベットにより遊技の開始を可能とし、スタートスイッチ33の操作により回転リール45の回転を開始させるとともに、複数の役のいずれかに当選かまたはハズレかの抽選を行い、該抽選の結果およびストップスイッチ34の操作に基づいて回転リール45の回転を停止させ、当選した役に係る図柄の組み合わせが揃ったか否かの判定を行い、該判定の結果に応じて所定の利益を遊技者に付与する又は付与しないことで１回の遊技が終了する遊技機であって、遊技を進行させることができないフリーズ状態を実行するフリーズ制御手段140と、フリーズ状態において、回転リール45を所定の態様で回転又は仮停止させる回転リール演出を実行する回転リール演出制御手段190と、を備え、回転リール演出制御手段190は、回転リール演出を実行中において、所定の契機により、回転リール45の態様を特定の態様に切り替えるように形成されていることを特徴とする。
【手続補正９】
【補正対象書類名】明細書
【補正対象項目名】００１５
【補正方法】変更
【補正の内容】
【００１５】
ここで、「回転リール演出」とは、回転リール45を用いた演出をいい、「回転リール演出制御手段」は、回転リール演出を制御するものである。
本発明では、フリーズ制御手段140は、フリーズ状態を実行し、フリーズ状態において、回転リール演出制御手段190は、回転リール45を所定の態様で回転又は仮停止させる回転リール演出を実行するとともに、所定の契機により、回転リール演出を切り替える。
（請求項５）
請求項５記載の発明は、上記請求項４記載の発明の特徴に加え、回転リール演出制御手段190は、所定のスイッチの操作を契機に、回転リール45の態様を切り替えるように形成されていることを特徴とする。
（請求項６）
請求項６記載の発明は、上記請求項５記載の発明の特徴に加え、回転リール演出制御手段190は、回転中の回転リール45に対応するストップスイッチ34が操作された場合に、該ストップスイッチ34に対応する回転リール45の回転を仮停止させることによって、回転リール45の態様を切り替えるように形成されていることを特徴とする。
（請求項７）
請求項７記載の発明は、上記請求項１、２、３、４、５又は６記載の発明の特徴に加え、フリーズ制御手段140は、すべての回転リール45の回転が仮停止しているフリーズ状態において、スタートスイッチ33の操作を契機に、フリーズ状態を終了することがあるように形成されていることを特徴とする。
【手続補正１０】
【補正対象書類名】明細書
【補正対象項目名】００１６
【補正方法】変更
【補正の内容】
【００１６】
本発明は、以上のように構成されているので、以下に記載されるような効果を奏する。
（請求項１、２、３又は７）
請求項１、２、３又は７記載の発明によれば、フリーズ状態が実行され、所定の契機により、フリーズ状態が切り替わるため、演出の幅を広げることができ、フリーズ状態において遊技者を飽きさせないようにすることができ、遊技の興趣を向上させることができる遊技機を提供することができる。
（請求項４、５、６又は７）
請求項４、５、６又は７記載の発明によれば、フリーズ状態において、回転リールを所定の態様で回転又は仮停止させる回転リール演出が実行され、所定の契機により、回転リール演出が切り替わるため、回転リール演出の幅を広げることができ、フリーズ状態において遊技者を飽きさせないようにすることができ、遊技の興趣を向上させることができる遊技機を提供することができる。